(57)【要約】【課題】装置を小型化し、騒音および液晶パネルへのダストの付着とを抑制し、液晶パネルを適正な温度範囲に調整する。【解決手段】液晶表示装置は、液晶パネル４２Ｒと、液晶パネルの熱が伝熱される外枠４３Ｒと、外枠４３Ｒに伝熱された液晶パネル４２Ｒの熱を吸熱面から吸熱し液晶パネル４２Ｒを冷却するペルチェ素子４６Ｒと、ペルチェ素子４６Ｒの熱を放熱するヒートシンク４７Ｒとを有し、外枠４３Ｒは、液晶パネル４２Ｒの表示面に対する側方に設けられ、ペルチェ素子４６Ｒとヒートシンク４７Ｒとは、液晶パネル４２Ｒの表示面に対する側方に一部が重なっている。【選択図】図２
2005250249.tif 000002
【特許請求の範囲】
【請求項１】
表示面に画像を表示する液晶パネルと、
前記液晶パネルの熱を伝熱する伝熱手段と、
前記伝熱手段に伝熱された前記液晶パネルの熱を吸熱面から吸熱し前記液晶パネルを冷却する熱電冷却素子と、
前記熱電冷却素子の熱を放熱する放熱手段と
を有し、
前記伝熱手段は、前記液晶パネルの表示面に対する側方に設けられており、
前記熱電冷却素子と前記放熱手段とは、前記液晶パネルの表示面に対する側方に少なくとも一部が重なるように設けられている
液晶表示装置。
【請求項２】
前記伝熱手段は、前記液晶パネルの第１面から第２面に向かって傾斜するように形成されている
請求項１に記載の液晶表示装置。
【請求項３】
前記放熱手段へ冷却風を供給する冷却ファン
を有する
請求項１に記載の液晶表示装置。
【請求項４】
前記冷却ファンは、前記放熱手段と共に、前記液晶パネルに冷却風を供給するように設けられている
請求項３に記載の液晶表示装置。
【請求項５】
前記冷却ファンは、前記液晶パネルに冷却風を送り、前記液晶パネルに送られた冷却風が前記放熱手段に供給されるように設けられている
請求項４に記載の液晶表示装置。
【請求項６】
前記放熱手段は、前記伝熱手段と間隔を隔てるようにして設けられている
請求項１に記載の液晶表示装置。
【請求項７】
前記放熱手段と前記伝熱手段との間の間隔には、前記放熱手段と前記伝熱手段との伝熱を遮る断熱手段が設けられている
請求項６に記載の液晶表示装置。
【請求項８】
前記伝熱手段は、前記液晶パネルよりも熱伝導率が高い
請求項１に記載の液晶表示装置。
【請求項９】
前記伝熱手段は、前記液晶パネルの表示面の周囲に外枠として設けられている
請求項１に記載の液晶表示装置。
【請求項１０】
前記液晶パネルの温度を検知し、前記検知された前記液晶パネルの温度に基づいて、前記熱電冷却素子を駆動させ前記液晶パネルの温度を制御する温度制御手段と
を有する
請求項１に記載の液晶表示装置。
【請求項１１】
前記熱電冷却素子と前記伝熱手段とは、前記液晶パネルよりも熱伝導率が高い第１接合部材により接合されている
請求項１に記載の液晶表示装置。
【請求項１２】
前記熱電冷却素子と前記放熱手段とは、前記液晶パネルよりも熱伝導率が高い第２接合部材により接合されている
請求項１に記載の液晶表示装置。
【請求項１３】
前記伝熱手段と前記放熱手段とは、前記液晶パネルよりも熱伝導率が低い固定部材により固定されている
請求項１に記載の液晶表示装置。
【請求項１４】
前記熱電冷却素子は、前記伝熱手段に埋め込まれるようにして設けられている
請求項１に記載の液晶表示装置。
【請求項１５】
前記熱電冷却素子は、前記放熱手段に埋め込まれるようにして設けられている
請求項１に記載の液晶表示装置。
【発明の詳細な説明】
【技術分野】
【０００１】
本発明は、液晶表示装置に関し、特に、投写型の液晶表示装置に関するものである。
【背景技術】
【０００２】
液晶表示装置は、一対の基板の間に液晶層が封入された液晶パネルを有する。液晶表示装置においては、液晶パネルの液晶層に対して電界が印加され液晶分子の配列を変化させることによって光透過率が変化し、画像の表示が行われる。このような液晶表示装置は、ＣＲＴ（Ｃａｔｈｏｄｅ  Ｒａｙ  Ｔｕｂｅ）よりも、薄型、軽量、低消費電力といった利点を有する。このため、液晶表示装置は、パーソナルコンピュータ、携帯電話、デジタルカメラなどの電子機器において直視型の表示装置として使用され、また、プロジェクタなどの投写型の表示装置として使用されている。
【０００３】
ところで、液晶表示装置は、視認性を向上させるため、大きな画面で表示することが要請されている。
【０００４】
大画面での表示を行う際、直視型の液晶表示装置においては、液晶パネルの表示面の大きさがそのまま表示画面になるため、大型の液晶パネルを用いるか、または、複数の液晶パネルを組み合わせることによって表示面を大きくしている。このため、直視型の液晶表示装置においては、大きな画面表示を行うために装置が高価になる場合がある。
【０００５】
一方、投写型の液晶表示装置は、光源から小型の液晶パネルに光を照射し、液晶パネルに表示される画像をレンズで拡大投影して大画面での表示を実現している。このため、投写型の液晶表示装置において大きな画面表示を行う際には、直視型よりも安価に装置を製造することができる。よって、大画面表示する際には、直視型よりも投写型の液晶表示装置の方が主流になっている。
【０００６】
投写型の液晶表示装置は、単板式と３板式とに分類される。単板式は、１枚の液晶パネルを用いて空間的または時間的に３原色を分解して画像を表示している。一方、３板式は、３原色のそれぞれの色の画像を３枚の液晶パネルのそれぞれで表示した後、ダイクロイックプリズムによって３枚の液晶パネルの画像を合成して１枚の画像を表示している。
【０００７】
このような投写型の液晶表示装置において画像をスクリーンに投影する際には、光源からの光のうちの大部分が、スクリーンに投影されて表示される画像に寄与せずに、液晶表示装置の液晶パネルなどの各構成部材に吸収されて熱が発生する。
【０００８】
投写型の液晶表示装置において、液晶パネルは、適正な性能を発揮可能な温度範囲が限定されることが知られている。たとえば、液晶パネルが適正な温度範囲を超える温度になった場合、液晶パネルの液晶層中に気泡が発生し、画像品質が劣化する場合がある。また、適正な温度範囲以外に長時間さらされた場合、性能が劣化し、装置の寿命が低下する場合がある。このため、投写型の液晶表示装置においては、液晶パネルを冷却するために冷却ファンが設置されることが多い。
【０００９】
しかし、冷却ファンによって液晶パネルを冷却する場合においては、冷却ファンの駆動音が騒音になる問題がある。特に、近年においては、液晶パネルが小型化されて単位面積当たりの発熱量が増しているために高い冷却効果が必要となり、大型化された冷却ファンによって、騒音の問題が顕著になっている。また、冷却ファンによって液晶パネルを冷却する場合においては、冷却ファンからの送風によってダストが液晶パネルの表示面に付着する機会が増え、ダストによって画像品質が劣化する場合がある。
【００１０】
上記の問題に対応するために、ペルチェ効果により冷却を行うペルチェ素子を用いる方法が提案されている（たとえば、特許文献１参照）。この方法では、３板式の液晶表示装置において、ダイクロイックプリズムと液晶パネルとが一体化されている光学装置にヒートパイプが設けられ、光学装置に対して反対になる側のヒートパイプにペルチェ素子が設けられている。
【特許文献１】特開２００３−５７７５４号公報
【発明の開示】
【発明が解決しようとする課題】
【００１１】
しかしながら、上記方法において、ペルチェ素子は、低い熱伝導率のダイクロイックプリズムを含む光学装置を冷却しているために、光学装置中に設けられている液晶パネルを高効率で冷却することが困難になっている。
【００１２】
このため、上記方法においては、液晶パネルが適正な温度範囲を超える温度になる場合があり、液晶パネルの液晶層中に気泡が発生し、画像品質が劣化する場合がある。また、上記方法においては、液晶パネルが適正な温度範囲以外に長時間さらされる場合があり、液晶パネルの性能が劣化して装置の寿命が低下し、信頼性が低下する場合がある。さらに、これに伴って、冷却効果を向上させるために、装置が大型化する場合がある。
【００１３】
したがって、本発明は、装置を小型化し、騒音および液晶パネルへのダストの付着とを抑制し、液晶パネルを適正な温度範囲に調整し、画像品質の向上と信頼性とを向上することが可能な液晶表示装置を提供することを目的とする。
【課題を解決するための手段】
【００１４】
上記目的を達成するために、本発明の液晶表示装置は、表示面に画像を表示する液晶パネルと、前記液晶パネルの熱を伝熱する伝熱手段と、前記伝熱手段に伝熱された前記液晶パネルの熱を吸熱面から吸熱し前記液晶パネルを冷却する熱電冷却素子と、前記熱電冷却素子の熱を放熱する放熱手段とを有し、前記伝熱手段は、前記液晶パネルの表示面に対する側方に設けられており、前記熱電冷却素子と前記放熱手段とは、前記液晶パネルの表示面に対する側方に少なくとも一部が重なるように設けられている。
【００１５】
以上により、本発明の液晶表示装置は、伝熱手段が液晶パネルの熱を伝熱する。そして、通電されることによって熱電冷却素子が、伝熱手段に伝熱された液晶パネルの熱を吸熱面から吸熱し、液晶パネルを冷却する。そして、放熱手段が、熱電冷却素子の熱を放熱する。ここで、伝熱手段は、液晶パネルの表示面に対する側方に設けられており、熱電冷却素子と放熱手段とは、液晶パネルの表示面に対する側方に少なくとも一部が重なるように伝熱手段に設けられている。このように、本発明の液晶表示装置は、熱電冷却素子に通電することによって冷却するため騒音が少ない。また、熱電冷却素子と放熱手段との液晶パネルの表示面に対する側方に重なるように少なくとも一部が伝熱手段に設けられているため、熱電冷却素子と放熱手段とを限られた空間内に収まるように設置できる。
【発明の効果】
【００１６】
本発明によれば、装置を小型化し、騒音および液晶パネルへのダストの付着とを抑制し、液晶パネルを適正な温度範囲に調整し、画像品質の向上と信頼性とを向上することが可能な液晶表示装置を提供することができる。
【発明を実施するための最良の形態】
【００１７】
本発明にかかる実施形態の一例について、図面を参照して説明する。
【００１８】
＜実施形態１＞
以下より、本発明にかかる実施形態１について説明する。
【００１９】
図１は、実施形態１の液晶表示装置の要部を示す構成図である。
【００２０】
図１に示すように、本実施形態の液晶表示装置は、３板式の投写型であり、光源１と、カットフィルタ２と、第１レンズアレイ３と、第１反射ミラー４と、第２レンズアレイ５と、偏光変換素子６と、第１コンデンサレンズ７と、第１ダイクロイックミラー１１と、第２反射ミラー１２と、第２ダイクロイックミラー２１と、第１リレーレンズ３１と、第３反射ミラー３２と、第２リレーレンズ３３と、第４反射ミラー３４と、第１，第２および第３の液晶表示部４１Ｒ，４１Ｇ，４１Ｂと、第２，第３および第４のコンデンサレンズ５１Ｒ，５１Ｇ，５１Ｂと、ダイクロイックプリズム６１と、投写レンズ７１と、温度制御部９１とを有する。
【００２１】
ここで、本実施形態の光源１は、本発明の光源に相当する。また、本実施形態の投写レンズ７１は、本発明の投写手段に相当する。また、本実施形態の温度制御部９１は、本発明の温度制御手段に相当する。そして、図１においては図示していないが、後述するように、本実施形態の液晶表示装置は、冷却ファンをさらに有する。
【００２２】
以下より、本実施形態の液晶表示装置の各構成要素について、順次、説明する。
【００２３】
光源１は、ランプ（図示なし）とリフレクタ（図示なし）とを有する。ランプは、たとえば、メタルハライドランプを用いて構成されており、放射状に白色の光線を出射する。ランプは、その他に、ハロゲンランプ、高圧水銀ランプなどを好適に用いることができる。リフレクタは、放物面状の反射面を有しており、ランプからの光線を反射する。
【００２４】
カットフィルタ２は、光源１からの光に含まれる紫外光と赤外光とを除去し、白色の可視光を透過する。
【００２５】
第１レンズアレイ３は、矩形形状の輪郭の小レンズがマトリクス状に配列された構成をしており、カットフィルタ２を透過した光を複数の光束に分割する。
【００２６】
第１反射ミラー４は、第１レンズアレイ３を透過した光を反射して、後述の第２レンズアレイ５に偏向するために設けられている。
【００２７】
第２レンズアレイ５は、前述の第１レンズアレイ３と同様な構成であり、小レンズがマトリクス状に配列されており、第１反射ミラー４からの光を偏光変換素子６に出射する。
【００２８】
偏光変換素子６は、第２レンズアレイ５から出射されて複数の振動面を有する光を、１つの振動面を有する偏光に変換するために設けられており、光源１からの光の利用効率を向上させている。そして、偏光変換素子６からの光は、第１コンデンサレンズ７に出射される。
【００２９】
第１コンデンサレンズ７は、前述の第２レンズアレイ５と共にして、第１レンズアレイ３の像を、後述する各液晶表示部４１Ｒ，４１Ｇ，４１Ｂに結像するために設けられている。第１コンデンサレンズ７を透過した光は、第１ダイクロイックミラー１１に出射される。
【００３０】
第１ダイクロイックミラー１１は、第１コンデンサレンズ７からの光のうち、青色成分Ｂと緑色成分Ｇとの光を透過し、赤色成分Ｒの光を反射する。反射された赤色成分Ｒの光は、第２反射ミラー１２に出射され、青色成分Ｂと緑色成分Ｇとの光は、第２ダイクロイックミラー２１へ出射される。
【００３１】
第２反射ミラー１２は、第１ダイクロイックミラー１１により反射された赤色成分Ｒの光を反射して偏向し、第２コンデンサレンズ５１Ｒを介して第１液晶表示部４１Ｒに入射させるために設けられている。
【００３２】
第２ダイクロイックミラー２１は、第１ダイクロイックミラー１１を透過した青色成分Ｂと緑色成分Ｇとの光のうち、青色成分Ｂの光を透過し、緑色成分Ｇの光を反射する。反射された緑色成分Ｇの光は、第３コンデンサレンズ５１Ｇを介して第２液晶表示部４１Ｇに出射される。一方、青色成分Ｂの光は、第１リレーレンズ３１を透過後、第３反射ミラー３２に出射される。ここで、第１リレーレンズ３１は、後述の第２リレーレンズ３３と共に、他の色の光よりも光路長が長い青色成分の光の利用効率を向上させるために設けられている。
【００３３】
第３反射ミラー３２は、青色成分Ｂの光を反射し偏向し、第２リレーレンズ３３を介して第４反射ミラー３４に出射する。
【００３４】
第４反射ミラー３４は、第３反射ミラー３２からの青色成分Ｂの光を、反射し偏向して第３液晶表示部４１Ｂに出射する。
【００３５】
第１，第２および第３の液晶表示部４１Ｒ，４１Ｇ，４１Ｂは、ダイクロイックプリズム６１の入射面に、後述する液晶パネル４２Ｒ，４２Ｇ，４２Ｂの表示面がそれぞれに対面するように配置されている。
【００３６】
図２，図３，図４は、本実施形態の液晶表示装置を構成している液晶表示部を説明するための図であり、第１，第２および第３の液晶表示部４１Ｒ，４１Ｇ，４１Ｂのうち、第１液晶表示部４１Ｒを示している。ここで、図２は、第１液晶表示部４１Ｒの斜視図である。そして、図３は、第１液晶表示部４１Ｒの一部を分解して示す分解図である。そして、図４は、第１液晶表示部４１Ｒの断面図である。
【００３７】
図２，図３，図４に示すように、第１液晶表示部４１Ｒは、液晶パネル４２Ｒと、外枠４３Ｒと、カバーガラス４４Ｒと、偏光板４５Ｒと、ペルチェ素子４６Ｒと、ヒートシンク４７Ｒとを有する。そして、第１液晶表示部４１Ｒの下方に冷却ファン４８Ｒが設けられている。なお、第２および第３の液晶表示部４１Ｇ，４１Ｂについては、図示を省略するが、第１液晶表示部４１Ｒと同じ構成部材を有しており、液晶パネル４２Ｇ，４２Ｂと、外枠４３Ｇ，４３Ｂと、カバーガラス４４Ｇ，４４Ｂと、偏光板４５Ｇ，４５Ｂと、ペルチェ素子４６Ｇ，４６Ｂと、ヒートシンク４７Ｇ，４７Ｂとを有する。そして、第１液晶表示部４１Ｒと同様に、第２および第３の液晶表示部４１Ｇ，４１Ｂの下方には、冷却ファン４８Ｇ，４８Ｂが設けられている。
【００３８】
ここで、本実施形態の液晶パネル４２Ｒ，４２Ｇ，４２Ｂは、本発明の液晶パネルに相当する。また、本実施形態の外枠４３Ｒ，４３Ｇ，４３Ｂの一部分が、本発明の伝熱手段に相当する。また、本実施形態のペルチェ素子４６Ｒ，４６Ｇ，４６Ｂは、本発明の熱電冷却素子に相当する。また、本実施形態のヒートシンク４７Ｒ，４７Ｇ，４７Ｂは、本発明の放熱手段に相当する。また、本実施形態の冷却ファン４８Ｒ，４８Ｇ，４８Ｂは、本発明の冷却ファンに相当する。
【００３９】
液晶パネル４２Ｒは、第１基板４２１と、第２基板４２２と、液晶層（図示なし）とを有する。第１基板４２１および第２基板４２２は、光を透過するガラス基板であり、たとえば、石英ガラスを用いて形成されている。第１基板４２１は、表示面に対応する領域に画素部がマトリクス状に設けられており、それぞれの画素部には、スイッチング素子として多結晶シリコンを用いたＴＦＴと、ＴＦＴに接続された画素電極とが設けられている。そして、第２基板４２２は、第１基板４２１に対面して配置され、画素電極に対向する領域に共通電極が設けられている。また、液晶層は、第１基板４２１と第２基板４２２との間に設けられている。液晶パネル４２Ｒにおいては、画素電極と共通電極とによって液晶層に電界が印加されて液晶層の液晶分子の配列が変化して光透過率が変わり、表示面で画像の表示が行われる。本実施形態においては、第１液晶表示部４１Ｒの液晶パネル４２Ｒは、赤色に対応する画像を表示し、第２液晶表示部４１Ｇの液晶パネル４２Ｇは、緑色に対応する画像を表示し、第３液晶表示部４１Ｂの液晶パネル４２Ｂは、青色に対応する画像を表示する。
【００４０】
外枠４３Ｒは、液晶パネル４２Ｒの表示面の周囲を囲い、液晶パネル４２Ｒに接するように設けられている。図３に示すように、外枠４３Ｒは、液晶パネル４２Ｒの第２基板４２２側から第１基板４２１側へ光が表示面を透過するように、入射光見切り板４９Ｒを用いて、液晶パネル４２Ｒを収容している。外枠４３Ｒは、たとえば、アルミニウムを用いて形成されており、液晶パネル４２Ｒよりも熱伝導率が高く、液晶パネル４２Ｒの熱を伝熱する。また、外枠４３Ｒには、液晶パネル４２Ｒの表示面に対する側方に、表示面に対して略垂直な垂直面４３０が形成されている。外枠４３Ｒのその垂直面４３０には、後述するように、ペルチェ素子４６Ｒの吸熱面が対面するようにペルチェ素子４６Ｒが設けられ、液晶パネル４２Ｒの熱が垂直面４３０に伝熱され、ペルチェ素子４６Ｒにより冷却される。このため、外枠４３Ｒの垂直面４３０は、ペルチェ素子４６Ｒの冷却効率を向上させるように、ペルチェ素子４６Ｒの吸熱面よりも広い面積を有する。
【００４１】
カバーガラス４４Ｒは、液晶パネル４２Ｒを挟むように２枚が設けられている。カバーガラス４４Ｒは、液晶パネル４２Ｒへの異物の付着を防止し、カバーガラス４４Ｒの表面に異物が付着した場合に異物の像をデフォーカスするように構成されている。
【００４２】
偏光板４５Ｒは、光源１からの光を偏光して液晶パネル４２Ｒへ出射するように、外枠４３Ｒに設けられている。
【００４３】
ペルチェ素子４６Ｒは、ペルチェ効果により冷却を行う熱電冷却素子である。ペルチェ効果は、異なる導体、たとえば、ｐ型とｎ型の半導体の接合に対して電流を流した場合に、その接合部で熱の吸収が発生する現象である。ペルチェ素子４６Ｒは、一対の基板の対向面側に、ｐ型とｎ型との半導体が導体を介して交互に複数が接合されている。ペルチェ素子４６Ｒは、電流が通電されると、一方の基板面が吸熱面になり、他方の基板面が発熱面になる。本実施形態においては、ペルチェ素子４６Ｒは、吸熱面が外枠４３Ｒの垂直面４３０に対面するように設けられている。ここで、ペルチェ素子４６Ｒと外枠４３Ｒとは、外枠４３Ｒからペルチェ素子４６Ｒへ効率的に熱伝導するように、液晶パネル４２Ｒよりも熱伝導率が高い第１接合部材４６１により接合されている。ペルチェ素子４６Ｒは、外枠４３Ｒに伝熱された液晶パネル４２Ｒの熱を、第１接合部材４６１を介して吸熱面で吸熱することによって液晶パネル４２Ｒを冷却する。第１接合部材４６１は、たとえば、グリスなどの接着性がない材料、両面テープなどの接着性の材料が用いられ、１Ｗ／ｍ・Ｋ以上の熱伝導率の材料が好ましい。また、ペルチェ素子４６Ｒは、５〜３０℃程度の冷却効果を有し、消費電力を抑制することができるように、吸熱能力が５Ｗ以下のものが好適である。なお、ペルチェ素子４６Ｒは、導体内の電流により冷却効果が発生して冷却するため、機械的な振動がなく騒音の発生がない。
【００４４】
ヒートシンク４７Ｒは、外枠４３Ｒから間隔を隔て、ペルチェ素子４６Ｒの発熱面に接するように設けられており、ペルチェ素子４６Ｒの熱を放熱する。ここで、ペルチェ素子４６Ｒとヒートシンク４７Ｒとは、ペルチェ素子４６Ｒからの熱がヒートシンク４７Ｒへ効率的に伝熱させるために、液晶パネル４２Ｒよりも熱伝導率が高い第２接合部材４６２により接合されている。第２接合部材４６２は、グリス、モールド、両面テープが用いられ、１Ｗ／ｍ・Ｋ以上の熱伝導率の材料が好ましい。そして、図２に拡大して示すように、外枠４３Ｒとヒートシンク４７Ｒとは、ヒートシンク４７Ｒがペルチェ素子４６Ｒの熱を効率良く放熱できるように、液晶パネル４２Ｒよりも熱伝導率が低い材料のネジである固定部材４６３により固定されている。特に、固定部材４６３としては、熱伝導率が１Ｗ／ｍ・Ｋ未満の材料が好ましい。さらに、ヒートシンク４７Ｒがペルチェ素子４６Ｒの熱を効率良く放熱できるように、ヒートシンク４７Ｒと外枠４３Ｒとの間の間隔には、ヒートシンク４７Ｒと外枠４３Ｒとの伝熱を遮るように断熱部４６４が設けられている。特に、断熱部４６４としては、固定部材４６３と同様に、熱伝導率が１Ｗ／ｍ・Ｋ未満の材料が好ましい。なお、ヒートシンク４７Ｒと外枠４３Ｒとの間の間隔に断熱部４６４を設けずに、空間を設けてもよい。そして、ヒートシンク４７Ｒは、底板部４７１と柱部４７２とを有する。底板部４７１は、ペルチェ素子４６Ｒの発熱面に一方の面が対面し、ペルチェ素子４６Ｒの熱が伝熱される。柱部４７２は、外部雰囲気との接触面積が大きくなるように複数が底板部４７１に設けられており、底板部４７１に伝熱される熱を放熱する。そして、ヒートシンク４７Ｒの柱部４７２は、軸方向が液晶パネル４２Ｒの面に対して略平行になるように設けられている。
【００４５】
冷却ファン４８Ｒは、ヒートシンク４７Ｒへ冷却風を送るために設けられている。さらに、本実施形態において、冷却ファン４８Ｒは、ヒートシンク４７Ｒと共に、液晶パネル４２Ｒに冷却風を送るように設置されている。冷却ファン４８Ｒは、まず、ヒートシンク４７Ｒに冷却風を送り、ヒートシンク４７Ｒに送られた冷却風が液晶パネル４２Ｒに供給されるように設けられている。
【００４６】
ダイクロイックプリズム６１は、第１，第２および第３の液晶表示部４１Ｒ，４１Ｇ，４１Ｂの液晶パネル４２Ｒ，４２Ｇ，４２Ｂを透過した各色成分の画像を合成してカラー画像を生成し、生成したカラー画像を投写レンズ７１へ出射する。
【００４７】
投写レンズ７１は、ダイクロイックプリズム６１により生成されたカラー画像をスクリーン（図示なし）に投写して表示するために設けられている。
【００４８】
温度制御部９１は、各液晶パネル４２Ｒ，４２Ｇ，４２Ｂの温度を検知し、その検知された各液晶パネル４２Ｒ，４２Ｇ，４２Ｂの温度に基づいて、各ペルチェ素子４６Ｒ，４６Ｇ，４６Ｂを駆動させて各液晶パネル４２Ｒ，４２Ｇ，４２Ｂの温度を制御する。たとえば、温度制御部９１は、熱電対によって各液晶パネル４２Ｒ，４２Ｇ，４２Ｂの温度を検知する。そして、温度制御部９１は、その検知された温度に基づいて各ペルチェ素子４６Ｒ，４６Ｇ，４６Ｂへの駆動信号を算出する。そして、温度制御部９１は、各ペルチェ素子４６Ｒ，４６Ｇ，４６Ｂを駆動して、各液晶パネル４２Ｒ，４２Ｇ，４２Ｂの温度が、たとえば、約５０℃において一定になるように制御する。
【００４９】
以下より、本実施形態の液晶表示装置の動作について説明する。
【００５０】
本実施形態の液晶表示装置において、光源１からの光は、カットフィルタ２と第１レンズアレイ３とを透過後、第１反射ミラー４によって反射され第２レンズアレイ５と偏光変換素子６と第１コンデンサレンズ７とを透過する。その後、第１および第２のダイクロイックミラー１１，２１によって、赤、青、緑の３原色に分離される。たとえば、第１ダイクロイックミラー１１は、赤色の光を反射し、緑色および青色が混合した光を透過することによって白色光を分離する。そして、第２ダイクロイックミラー２１は、緑色および青色が混合した光を、緑色と青色とにそれぞれ分離する。
【００５１】
その後、第１ダイクロイックミラー１１により分離された赤色の光は、第２反射ミラー１２によって偏向され、第２コンデンサレンズ５１Ｒを介して第１液晶表示部４１Ｒの液晶パネル４２Ｒの表示面に入射する。また、第２ダイクロイックミラー２１により分離された緑色の光は、第３コンデンサレンズ５１Ｇを介して第２液晶表示部４１Ｇの液晶パネル４２Ｇの表示面に入射する。そして、第２ダイクロイックミラー２１により分離された青色の光は、第１リレーレンズ３１と第３反射ミラー３２と第２リレーレンズ３３と第４反射ミラー３４と第３コンデンサレンズ５１Ｇを介して、第３液晶表示部４１Ｂの液晶パネル４２Ｂの表示面に入射する。青色の光は、他の色と光路長が異なるため、色ムラにならないようにリレーレンズ３１，３３によって光路が調整されている。そして、各液晶表示部４１Ｒ，４１Ｇ，４１Ｂの液晶パネル４２Ｒ，４２Ｇ，４２Ｂに入射する各色の光は、各色に対応した画像が表示されている各液晶パネル４２Ｒ，４２Ｇ，４２Ｂを透過する。そして、各色の画像がダイクロイックプリズム６１によって合成されて、１つの画像となり、投写レンズ７１によって、スクリーン（図示なし）に拡大して投影される。
【００５２】
本実施形態に示すような投写型の液晶表示装置にて画像をスクリーンに投影する際においては、前述したように、光源１からの光のうちの大部分が、スクリーンへ投写され表示される画像に寄与せずに、液晶表示装置の各液晶パネル４２Ｒ，４２Ｇ，４２Ｂなどの各構成部材に吸収されて発熱している。
【００５３】
発熱している各液晶パネル４２Ｒ，４２Ｇ，４２Ｂを冷却するため、本実施形態においては、まず、液晶表示装置の各液晶パネル４２Ｒ，４２Ｇ，４２Ｂの熱を、外枠４３Ｒ，４３Ｇ，４３Ｂが、各ペルチェ素子４６Ｒ，４６Ｇ，４６Ｂに伝熱する。そして、各ペルチェ素子４６Ｒ，４６Ｇ，４６Ｂが、各外枠４３Ｒ，４３Ｇ，４３Ｂに伝熱された各液晶パネル４２Ｒ，４２Ｇ，４２Ｂの熱を吸熱面から吸熱して、各液晶パネル４２Ｒ，４２Ｇ，４２Ｂを冷却する。ここでは、温度制御部９１が各液晶パネル４２Ｒ，４２Ｇ，４２Ｂの温度を検知し、検知された液晶パネル４２Ｒ，４２Ｇ，４２Ｂの温度に基づいて、ペルチェ素子４６Ｒ，４６Ｇ，４６Ｂを駆動させる。そして、ヒートシンク４７Ｒ，４７Ｇ，４７Ｂが、各ペルチェ素子４６Ｒ，４６Ｇ，４６Ｂの熱を放熱する。さらに、この時、各冷却ファン４８Ｒ，４８Ｇ，４８Ｂが、各液晶パネル４２Ｒ，４２Ｇ，４２Ｂとヒートシンク４７Ｒ，４７Ｇ，４７Ｂとに冷却風を供給して冷却する。
【００５４】
以上のように、本実施形態の液晶表示装置は、表示面に画像を表示する液晶パネル４２Ｒ，４２Ｇ，４２Ｂと、液晶パネル４２Ｒ，４２Ｇ，４２Ｂの熱が伝熱される外枠４３Ｒ，４３Ｇ，４３Ｂと、外枠４３Ｒ，４３Ｇ，４３Ｂに伝熱された液晶パネル４２Ｒ，４２Ｇ，４２Ｂの熱を吸熱面から吸熱し、液晶パネル４２Ｒ，４２Ｇ，４２Ｂを冷却するペルチェ素子４６Ｒ，４６Ｇ，４６Ｂとを有する。そして、外枠４３Ｒ，４３Ｇ，４３Ｂは、液晶パネル４２Ｒ，４２Ｇ，４２Ｂの表示面に対する側部に設けられており、ペルチェ素子４６Ｒ，４６Ｇ，４６Ｂとヒートシンク４７Ｒ，４７Ｇ，４７Ｂとは、液晶パネル４２Ｒ，４２Ｇ，４２Ｂの表示面に対する側方に少なくとも一部が重なるように設けられている。そして、ヒートシンク４７Ｒ，４７Ｇ，４７Ｂの柱部４７２の軸方向が、液晶パネル４２Ｒ，４２Ｇ，４２Ｂの面に対して略平行になるように設けられている。このように、本実施形態は、ペルチェ素子４６Ｒ，４６Ｇ，４６Ｂを有し、ペルチェ素子４６Ｒ，４６Ｇ，４６Ｂに通電することによって冷却するため、騒音を抑制できる。また、ペルチェ素子４６Ｒ，４６Ｇ，４６Ｂとヒートシンク４７Ｒ，４７Ｇ，４７Ｂとが、液晶パネル４２Ｒ，４２Ｇ，４２Ｂの表示面に対する側方に、少なくとも一部が重なるように設けられ、ヒートシンク４７Ｒ，４７Ｇ，４７Ｂの柱部４７２の軸方向が、液晶パネル４２Ｒ，４２Ｇ，４２Ｂの面に対して略平行になるように設けられているため、限られた空間内においてペルチェ素子４６Ｒ，４６Ｇ，４６Ｂとヒートシンクと４７Ｒ，４７Ｇ，４７Ｂを収めることができるため、装置を小型化できる。また、ペルチェ素子４６Ｒ，４６Ｇ，４６Ｂとヒートシンク４７Ｒ，４７Ｇ，４７Ｂとを設置することに伴って、冷却ファン４８Ｒ，４８Ｇ，４８Ｂの送風能力を低下することができ、騒音および液晶パネル４２Ｒ，４２Ｇ，４２Ｂへのダストの付着とを抑制することができる。
【００５５】
そして、本実施形態においては、外枠４３Ｒ，４３Ｇ，４３Ｂが液晶パネル４２Ｒ，４２Ｇ，４２Ｂの表示面の周囲に設けられており、液晶パネル４２Ｒ，４２Ｇ，４２Ｂの熱が伝熱される。また、外枠４３Ｒ，４３Ｇ，４３Ｂは、液晶パネル４２Ｒ，４２Ｇ，４２Ｂよりも熱伝導率が高い。このため、外枠４３Ｒ，４３Ｇ，４３Ｂは、液晶パネル４２Ｒ，４２Ｇ，４２Ｂの熱を効率良く伝熱することができるため、液晶パネル４２Ｒ，４２Ｇ，４２Ｂを適正な温度範囲に調整することができる。またこれに伴って、冷却ファン４８Ｒ，４８Ｇ，４８Ｂの送風能力を低下することができ、騒音および液晶パネル４２Ｒ，４２Ｇ，４２Ｂへのダストの付着とを抑制することができる。
【００５６】
また、本実施形態においては、ペルチェ素子４６Ｒ，４６Ｇ，４６Ｂの熱を放熱するヒートシンク４７Ｒ，４７Ｇ，４７Ｂが設けられている。このため、ヒートシンク４７Ｒ，４７Ｇ，４７Ｂによる熱の放熱によって、ペルチェ素子４６Ｒ，４６Ｇ，４６Ｂは、液晶パネル４２Ｒ，４２Ｇ，４２Ｂの熱を効率良く吸熱し冷却することができるため、液晶パネル４２Ｒ，４２Ｇ，４２Ｂを適正な温度範囲に調整することができる。また、これに伴って、冷却ファン４８Ｒ，４８Ｇ，４８Ｂの送風能力を低下することができ、騒音および液晶パネル４２Ｒ，４２Ｇ，４２Ｂへのダストの付着とを抑制することができる。
【００５７】
そして、本実施形態においては、ヒートシンク４７Ｒ，４７Ｇ，４７Ｂへ冷却風を送る冷却ファン４８Ｒ，４８Ｇ，４８Ｂが設けられている。このため、冷却ファン４８Ｒ，４８Ｇ，４８Ｂによってヒートシンク４７Ｒ，４７Ｇ，４７Ｂによる放熱が促進され、ペルチェ素子４６Ｒ，４６Ｇ，４６Ｂは、液晶パネル４２Ｒ，４２Ｇ，４２Ｂの熱を効率良く吸熱し冷却することができるため、液晶パネル４２Ｒ，４２Ｇ，４２Ｂを適正な温度範囲に調整することができる。また、これに伴って、冷却ファン４８Ｒ，４８Ｇ，４８Ｂの送風能力を低下することができ、騒音および液晶パネル４２Ｒ，４２Ｇ，４２Ｂへのダストの付着とを抑制することができる。
【００５８】
また、本実施形態において、冷却ファン４８Ｒ，４８Ｇ，４８Ｂは、ヒートシンク４７Ｒ，４７Ｇ，４７Ｂと、液晶パネル４２Ｒ，４２Ｇ，４２Ｂとに冷却風を送るように設けられている。このため、冷却ファン４８Ｒ，４８Ｇ，４８Ｂによって、ヒートシンク４７Ｒ，４７Ｇ，４７Ｂと共に、液晶パネル４２Ｒ，４２Ｇ，４２Ｂが冷却風によって冷却され、ペルチェ素子４６Ｒ，４６Ｇ，４６Ｂは、液晶パネル４２Ｒ，４２Ｇ，４２Ｂの熱を効率良く吸熱し冷却するため、液晶パネル４２Ｒ，４２Ｇ，４２Ｂを適正な温度範囲に調整することができる。また、これに伴って、冷却ファン４８Ｒ，４８Ｇ，４８Ｂの送風能力を低下することができ、騒音および液晶パネル４２Ｒ，４２Ｇ，４２Ｂへのダストの付着とを抑制することができる。
【００５９】
また、本実施形態において、ヒートシンク４７Ｒ，４７Ｇ，４７Ｂは、外枠４３Ｒ，４３Ｇ，４３Ｂと間隔を隔てるようにして設けられている。このため、外枠４３Ｒ，４３Ｇ，４３Ｂの熱が、ヒートシンク４７Ｒ，４７Ｇ，４７Ｂに伝熱しにくいため、ヒートシンク４７Ｒ，４７Ｇ，４７Ｂは、ペルチェ素子４６Ｒ，４６Ｇ，４６Ｂの熱を効率的に放熱できる。そして、これに伴って、ペルチェ素子４６Ｒ，４６Ｇ，４６Ｂは、液晶パネル４２Ｒ，４２Ｇ，４２Ｂの熱を効率良く吸熱し冷却することができるため、液晶パネル４２Ｒ，４２Ｇ，４２Ｂを適正な温度範囲に調整することができる。さらに、これに伴って、冷却ファン４８Ｒ，４８Ｇ，４８Ｂの送風能力を低下することができ、騒音および液晶パネル４２Ｒ，４２Ｇ，４２Ｂへのダストの付着とを抑制することができる。なお、ヒートシンク４７Ｒ，４７Ｇ，４７Ｂと外枠４３Ｒ，４３Ｇ，４３Ｂとの間の間隔に、ヒートシンク４７Ｒ，４７Ｇ，４７Ｂと外枠４３Ｒ，４３Ｇ，４３Ｂとの伝熱を遮る断熱手段が設けられることにより、この効果をさらに向上させることができる。
【００６０】
そして、本実施形態においては、液晶パネル４２Ｒ，４２Ｇ，４２Ｂの温度を検知し、その検知された液晶パネル４２Ｒ，４２Ｇ，４２Ｂの温度に基づいて、ペルチェ素子４６Ｒ，４６Ｇ，４６Ｂを駆動させて各液晶パネル４２Ｒ，４２Ｇ，４２Ｂの温度を制御する温度制御部９１を有する。このため、ペルチェ素子４６Ｒ，４６Ｇ，４６Ｂは、過冷却することなく、液晶パネル４２Ｒ，４２Ｇ，４２Ｂの温度を適正な温度範囲に調整することができる。さらに、これに伴って、冷却ファン４８Ｒ，４８Ｇ，４８Ｂの送風能力を低下することができ、騒音および液晶パネル４２Ｒ，４２Ｇ，４２Ｂへのダストの付着とを抑制することができる。
【００６１】
また、本実施形態において、ペルチェ素子４６Ｒ，４６Ｇ，４６Ｂと外枠４３Ｒ，４３Ｇ，４３Ｂとは、液晶パネル４２Ｒ，４２Ｇ，４２Ｂよりも熱伝導率が高い第１接合部材４６１により接合されている。また、ペルチェ素子４６Ｒ，４６Ｇ，４６Ｂとヒートシンク４７Ｒ，４７Ｇ，４７Ｂとは、液晶パネル４２Ｒ，４２Ｇ，４２Ｂよりも熱伝導率が高い第２接合部材４６２により接合されている。このため、ペルチェ素子４６Ｒ，４６Ｇ，４６Ｂと外枠４３Ｒ，４３Ｇ，４３Ｂとの間、および、ペルチェ素子４６Ｒ，４６Ｇ，４６Ｂとヒートシンク４７Ｒ，４７Ｇ，４７Ｂとの間では効率的に伝熱がされるため、液晶パネル４２Ｒ，４２Ｇ，４２Ｂの温度を適正な温度範囲に調整することができる。さらに、これに伴って、冷却ファン４８Ｒ，４８Ｇ，４８Ｂの送風能力を低下することができ、騒音および液晶パネル４２Ｒ，４２Ｇ，４２Ｂへのダストの付着とを抑制することができる。
【００６２】
そして、本実施形態において、外枠４３Ｒ，４３Ｇ，４３Ｂとヒートシンク４７Ｒ，４７Ｇ，４７Ｂとは、液晶パネル４２Ｒ，４２Ｇ，４２Ｂよりも熱伝導率が低い固定部材４６３により固定されている。このため、外枠４３Ｒ，４３Ｇ，４３Ｂの熱が、ヒートシンク４７Ｒ，４７Ｇ，４７Ｂに伝熱しにくいため、ヒートシンク４７Ｒ，４７Ｇ，４７Ｂは、ペルチェ素子４６Ｒ，４６Ｇ，４６Ｂの熱を効率的に放熱できる。そして、これに伴って、ペルチェ素子４６Ｒ，４６Ｇ，４６Ｂは、液晶パネル４２Ｒ，４２Ｇ，４２Ｂの熱を効率良く吸熱し冷却することができるため、液晶パネル４２Ｒ，４２Ｇ，４２Ｂを適正な温度範囲に調整することができる。さらに、これに伴って、冷却ファン４８Ｒ，４８Ｇ，４８Ｂの送風能力を低下することができ、騒音および液晶パネル４２Ｒ，４２Ｇ，４２Ｂへのダストの付着とを抑制することができる。
【００６３】
したがって、本実施形態は、装置を小型化でき、騒音および液晶パネルへのダストの付着とを抑制し、液晶パネルを適正な温度範囲に調整し、画像品質の向上と信頼性とを向上することができる。
【００６４】
＜実施形態２＞
以下より、本発明にかかる実施形態２について、図５を用いて説明する。
【００６５】
図５は、実施形態２の液晶表示装置を構成している液晶表示部を示す構成図である。図５においては、第１，第２および第３の液晶表示部４１Ｒ，４１Ｇ，４１Ｂのうち、第１液晶表示部４１Ｒの部分を示している。また、図５において、（ａ）は液晶表示部の正面図であり、（ｂ）は断面図を示している。
【００６６】
図５に示すように、本実施形態の液晶表示装置は、外枠４３Ｒの形状と、ペルチェ素子４６Ｒおよびヒートシンク４７Ｒの配置とが異なることを除き、実施形態１と同様である。このため、重複する個所については説明を省略する。
【００６７】
本実施形態の外枠４３Ｒは、実施形態１と異なり、ペルチェ素子４６Ｒが設けられる個所が、一方の第１面から他方の第２面に向かって傾斜するように形成されている。つまり、外枠４３Ｒには、液晶パネル４２Ｒの表示面に沿った仮想面に対して、液晶パネル４２Ｒの厚み方向に傾いている傾斜面４３１が設けられている。外枠４３Ｒの傾斜面４３１は、液晶パネル４２Ｒの第１基板４２１側へ傾いている。そして、ペルチェ素子４６Ｒは、吸熱面が外枠４３Ｒの傾斜面４３１に対面するように設けられている。そして、ヒートシンク４７Ｒは、ペルチェ素子４６Ｒの発熱面に接するように設けられ、柱部４７２の軸方向が液晶パネル４２Ｒの表示面に対して略垂直になるように設けられている。ペルチェ素子４６Ｒおよびヒートシンク４７Ｒとは、冷却ファン４８Ｒからの冷却風が液晶パネル４２Ｒの後に当たるように設けられている。つまり、冷却ファン４８Ｒは、まず、液晶パネル４２Ｒに冷却風を送り、液晶パネル４２Ｒに送られた冷却風がヒートシンク４７Ｒに供給されるように配置されている。
【００６８】
以上のように、本実施形態の液晶表示装置は、ペルチェ素子４６Ｒ，４６Ｇ，４６Ｂが設置される外枠４３Ｒ，４３Ｇ，４３Ｂの部分が、液晶パネル４２Ｒ，４２Ｇ，４２Ｂの一方の第１面から他方の第２面に向かって傾斜するように設けられている。つまり、液晶パネル４２Ｒ，４２Ｇ，４２Ｂの表示面に沿った面に対して液晶パネル４２Ｒ，４２Ｇ，４２Ｂの厚み方向に傾いている傾斜面４３１が外枠４３Ｒ，４３Ｇ，４３Ｂに設けられており、ペルチェ素子４６Ｒ，４６Ｇ，４６Ｂは、吸熱面が外枠４３Ｒ，４３Ｇ，４３Ｂの傾斜面４３１に対面するように設けられている。このため、限られた空間内において、ヒートシンク４７Ｒ，４７Ｇ，４７Ｂとペルチェ素子４６Ｒ，４６Ｇ，４６Ｂとを設置する面積を大きくすることができるため、装置を小型化でき、液晶パネル４２Ｒ，４２Ｇ，４２Ｂを適正な温度範囲に調整することが容易にできる。また、これに伴って、冷却ファン４８Ｒ，４８Ｇ，４８Ｂの送風能力を低下することができ、騒音および液晶パネル４２Ｒ，４２Ｇ，４２Ｂへのダストの付着とを抑制することができる。
【００６９】
また、本実施形態において、ヒートシンク４７Ｒ，４７Ｇ，４７Ｂは、柱部４７２の軸方向が液晶パネル４２Ｒ，４２Ｇ，４２Ｂの面に対して略垂直になるように設けられている。このため、ヒートシンク４７Ｒ，４７Ｇ，４７Ｂを狭い空間に収容することが容易になり、冷却ファン４８Ｒ，４８Ｇ，４８Ｂからの冷却風を、ヒートシンク４７Ｒ，４７Ｇ，４７Ｂと共に、液晶パネル４２Ｒ，４２Ｇ，４２Ｂに当てることが容易になる。よって、液晶パネル４２Ｒ，４２Ｇ，４２Ｂの温度を適正な温度範囲に調整することができる。また、さらに、これに伴って、冷却ファン４８Ｒ，４８Ｇ，４８Ｂの送風能力を低下することができ、騒音および液晶パネル４２Ｒ，４２Ｇ，４２Ｂへのダストの付着とを抑制することができる
【００７０】
そして、本実施形態において、冷却ファン４８Ｒ，４８Ｇ，４８Ｂは、液晶パネル４２Ｒ，４２Ｇ，４２Ｂに冷却風を送り、液晶パネル４２Ｒ，４２Ｇ，４２Ｂに送られたその冷却風がヒートシンク４７Ｒ，４７Ｇ，４７Ｂにあたるように設けられている。液晶パネル４２Ｒ，４２Ｇ，４２Ｂの前にヒートシンク４７Ｒ，４７Ｇ，４７Ｂに冷却風を供給する場合、ヒートシンク４７Ｒ，４７Ｇ，４７Ｂにより暖められた冷却風が、液晶パネル４２Ｒ，４２Ｇ，４２Ｂに供給されることになるため、液晶パネル４２Ｒ，４２Ｇ，４２Ｂを効率的に冷却できない。しかし、本実施形態は、液晶パネル４２Ｒ，４２Ｇ，４２Ｂの後にヒートシンク４７Ｒ，４７Ｇ，４７Ｂに冷却風を供給するため、冷却ファン４８Ｒ，４８Ｇ，４８Ｂによる冷却風を効率良く利用できる。そして、ペルチェ素子４６Ｒ，４６Ｇ，４６Ｂが、液晶パネル４２Ｒ，４２Ｇ，４２Ｂの熱を効率良く吸熱し冷却することができるようになるため、液晶パネル４２Ｒ，４２Ｇ，４２Ｂを適正な温度範囲に調整することができる。そして、これに伴って、冷却ファン４８Ｒ，４８Ｇ，４８Ｂの送風能力を低下することができるため、騒音および液晶パネル４２Ｒ，４２Ｇ，４２Ｂへのダストの付着とを抑制することができる。
【００７１】
＜実施形態３＞
以下より、本発明にかかる実施形態３について、図６を用いて説明する。
【００７２】
図６は、図５（ｂ）と同様に、実施形態３の液晶表示装置を構成している液晶表示部および冷却ファンの断面図である。図６においては、第１，第２および第３の液晶表示部４１Ｒ，４１Ｇ，４１Ｂのうち、第１液晶表示部４１Ｒの部分を示している。図６に示すように、実施形態３の液晶表示装置は、実施形態２と異なり、ペルチェ素子４６Ｒ，４６Ｇ，４６Ｂが配置されている位置が異なる。この点を除き、実施形態３の液晶表示装置は、実施形態２と同様である。このため、重複する個所については、説明を省略する。
【００７３】
図６に示すように、本実施形態の液晶表示装置において、第１液晶表示部４１Ｒは、ペルチェ素子４６Ｒが外枠４３Ｒとヒートシンク４７Ｒとのそれぞれに埋め込まれるようにして設けられている。ペルチェ素子４６Ｒの吸熱面側は、外枠４３Ｒの傾斜面４３１側に埋め込まれ内蔵されるように配置されている。一方、ペルチェ素子４６Ｒの発熱面側は、ヒートシンク４７Ｒの底板部４７１に埋め込まれ内蔵されるように配置されている。なお、実施形態１と同様に、第２および第３の液晶表示部４１Ｇ，４１Ｂも、第１液晶表示部４１Ｒと同じ構成である。
【００７４】
以上のように、本実施形態の液晶表示装置は、ペルチェ素子４６Ｒ，４６Ｇ，４７Ｂが、外枠４３Ｒ，４３Ｇ，４３Ｂとヒートシンク４７Ｒ，４７Ｇ，４７Ｂとのそれぞれに埋め込まれるようにして設けられている。このため、本実施形態は、装置を小型化できる。また、装置を小型化する必要がない場合には、ヒートシンク４７Ｒ，４７Ｇ，４７Ｂを大型化して効率的に放熱することができるため、冷却ファン４８Ｒ，４８Ｇ，４８Ｂの送風能力を低下することができ、騒音と液晶パネル４２Ｒ，４２Ｇ，４２Ｂへのダストの付着とを抑制することができる。
【００７５】
したがって、本実施形態は、装置を小型化でき、騒音および液晶パネルへのダストの付着とを抑制し、液晶パネルを適正な温度範囲に調整し、画像品質の向上と信頼性とを向上することができる。
【００７６】
なお、本発明の実施に際しては、上記した実施の形態に限定されるものではなく、種々の変形形態を採用することができる。
【００７７】
たとえば、上記の実施形態においては、冷却ファンを設けているが、冷却ファンは、必要に応じて設ければ良い。
【００７８】
また、たとえば、上記実施形態においては、冷却ファンからの冷却風を液晶パネルと放熱手段との供給しているが、冷却ファンから冷却風を液晶パネルに供給せず、ヒートシンクのみに供給するように冷却ファンを設けても良い。
【００７９】
また、たとえば、上記実施形態においては、各液晶パネルに対応して冷却ファンを設けているが、１つの冷却ファンのみを設け、その１つの冷却ファンからの冷却風を分割して各液晶パネルおよび各放熱手段に供給するような導風口を形成してもよい。
【００８０】
また、たとえば、上記実施形態において、熱電冷却素子は、伝熱手段と放熱手段とのそれぞれに埋め込まれるようにして設けられているが、いずれか一方に埋め込まれるようにして設けられていてもよい。
【図面の簡単な説明】
【００８１】
【図１】図１は、実施形態１の液晶表示装置の要部を示す構成図である。
【図２】図２は、実施形態１の液晶表示装置を構成している液晶表示部の部分を示す斜視図である。
【図３】図３は、実施形態１の液晶表示装置を構成している液晶表示部の一部を分解して示す分解図である。
【図４】図４は、実施形態１の液晶表示装置を構成している液晶表示部の部分を示す断面図である。
【図５】図５は、実施形態２の液晶表示装置を構成している液晶表示部の部分を示す構成図である。
【図６】図６は、実施形態３の液晶表示装置を構成している液晶表示部の部分を示す断面図である。
【符号の説明】
【００８２】
１：光源、２：カットフィルタ、３：第１レンズアレイ、４：第１反射ミラー、５：第２レンズアレイ、６：偏光変換素子、７：第１コンデンサレンズ、１１：第１ダイクロイックミラー、１２：第２反射ミラー、２１：第２ダイクロイックミラー、３１：第１リレーレンズ、３２：第３反射ミラー、３３：第２リレーレンズ、３４：第４反射ミラー、４１Ｒ，４１Ｇ，４１Ｂ：第１，第２および第３の液晶表示部、５１Ｒ，５１Ｇ，５１Ｂ：第２，第３および第４のコンデンサレンズ、６１：ダイクロイックプリズム、７１：投写レンズ（投写手段）、９１：温度制御部（温度制御手段）、４２Ｒ，４２Ｇ，４２Ｂ：液晶パネル、４３Ｒ，４３Ｇ，４３Ｂ：外枠（伝熱手段）、４４Ｒ，４４Ｇ，４４Ｂ：カバーガラス、４５Ｒ，４５Ｇ，４５Ｂ：偏光板、４６Ｒ，４６Ｇ，４６Ｂ：ペルチェ素子（熱電冷却素子）、４７Ｒ，４７Ｇ，４７Ｂ：ヒートシンク（放熱手段）、４８Ｒ，４８Ｇ，４８Ｂ：冷却ファン
【図１】
2005250249.tif 000003
【図２】
2005250249.tif 000004
【図３】
2005250249.tif 000005
【図４】
2005250249.tif 000006
【図５】
2005250249.tif 000007
【図６】
2005250249.tif 000008